(57)【要約】【課題】  中継局の経年変化や伝送路の損失変化等に拘わらず、波長多重信号光にゲインチルトが発生するのを防止すること。【解決手段】  光合分波装置１０は、光増幅部２０及び分岐・挿入手段３０の他、分岐された二種類からなる各波長の信号光の信号レベルの差を求め、該求めた差を吸収すべく光増幅部２０の増幅度を調整するレベル信号調整手段４０を備える。レベル信号調整手段４０は、分岐された波長の信号光λ１、λ８の信号レベルの差Δを求める演算部４１と、この演算部４１が求めたそれぞれの信号光の差Δに基づき光増幅部２０の増幅度を調整させる補正部４２とを有している。【選択図】  図１
2005051189.tif 000002
【特許請求の範囲】
【請求項１】
波長多重された信号光を増幅する光増幅部と、該光増幅部によって増幅された波長多重信号光のうち、少なくとも波長の異なる二種類の信号光を分岐させる一方、残りの他の波長の異なる信号光に信号光を合波させて出力する分岐・挿入手段とを備えた光合分波装置において、
前記分岐された二種類の信号光の信号レベルの差を求めと共に、該求めた差を吸収する方向に前記光増幅部を調整するレベル信号調整手段を備えたことを特徴とする光合分波装置。
【請求項２】
請求項１記載の光合分波装置において、
前記レベル信号調整手段は、前記分岐された二種類の信号光の信号レベルの差を求める演算部と、該演算部によって求めた信号レベルの差に基づいて光増幅部の増幅度を調整する補正部とを備えていることを特徴とする光合分波装置。
【請求項３】
請求項２記載の光合分波装置において、
前記演算部は、前記分岐された二種類の信号光をそれぞれ更に分岐させて検出するモニタ部を有することを特徴とする光合分波装置。
【請求項４】
請求項３記載の光合分波装置において、
前記モニタ部は、前記分岐された二種類の信号光の分岐伝送路にそれぞれ設けられた光カプラと、該光カプラによって更に分岐されたそれぞれの信号光を光電変換する光電変換素子とからなることを特徴とする光合分波装置。
【請求項５】
請求項２から４のいずれか記載の光合分波装置において、
前記補正部は、前記光増幅部の励起光源に対する設定温度を、前記信号レベルの差に応じて変更させることを特徴とする光合分波装置。
【請求項６】
請求項１から５のいずれか記載の光合分波装置を備えていることを特徴とする光波長多重伝送システム。
【発明の詳細な説明】
【発明の詳細な説明】
【技術分野】
【０００１】  本発明は、光合分波装置及びその光合分波装置を備えた光波長多重伝送システムに係り、特に、波長多重伝送システムを利用した光通信ネットワークに用いるのに好適な技術に関する。
【背景技術】
【０００２】  波長多重伝送方式（ＷＤＭ）を用いた光通信ネットワークシステムにおいては、その伝送路の途中に光合分波装置が設置され、光合分波装置が、波長多重された信号光のうち、所望の波長の信号光を分岐させると共に、それとは異なる残りの波長の信号光に他の波長の信号光を挿入して合波させる、いわゆる信号光の分岐・挿入を行うことで、柔軟なネットワークを構築するようになっている。【０００３】  図５に従来の光合分波装置を用いた光波長多重伝送システムを示している。図５に示すように、送信側には光送信端局装置１が、受信側には光受信端局装置２がそれぞれ設置され、両者１、２間の伝送路３には、中継器（光増幅器）４及び光合分波装置１０が設けられている。そして、光送信端局装置１からそれぞれ波長の異なる複数の信号光が一本の光ファイバからなる伝送路３によって多重送信され、その途中で中継器４によって増幅されたり、また光合分波装置１０によって波長毎に応じて伝送路３に振り分けられたりしながら、光受信端局装置２や端局装置６に送信されるようになっている。【０００４】  このような光波長多重伝送システムに設けられる従来の光合分波装置１０の一例を図６に示す。
即ち、従来の光合分波装置１０は、図６に示すように、光増幅部５１と、分岐・挿入手段５２とを備え、入力された多重信号光が光増幅部５１によって増幅された後、その多重信号光のうち、特定の複数の波長の信号光がドロップ（ＤＲＯＰ）系５３によって分岐され、残りの複数の波長光がアド（ＡＤＤ）系５４から挿入される信号光と合波されることで、伝送路３に出力されるようになっている。この場合、分岐・挿入手段５２としては、誘電体多層膜フィルタ、ＷＤＭカプラ、ファイバグレーティング、アレイ導波路などを用いることで構成されている。
なお、ドロップ系５３によって分岐された信号光は、図５に示す光受信端局装置２とは異なる端局装置６に送信され、アド系５４には図示しない装置から合波用の信号光が挿入される。
【発明が解決しようとする課題】
【０００５】  一般に、光波長多重伝送システムにおいては、多重信号光を構成しているそれぞれの波長の信号光の信号レベルが一定になるように調整されている。
ところが、伝送路の途中に設けられている中継器（光増幅器）４の経年変化や伝送路３を構成する光ファイバの損失変化などが起こったりすると、波長多重信号光の各波長の信号レベルが平坦でなくなり、例えば図７に示すように一番短い波長の信号光λ１が最も小さくなると共に、そこからより長い波長λ２〜λ８になるにつれて次第に大きな信号光となる右肩上がりの状態の傾き（ゲインチルトと称す）が発生してしまう。そのため、そのようなゲインチルトを有する波長多重信号光が光合分波装置１０に送り込まれると、該光合分波装置１０の光増幅部５１がそのゲインチルトに従って処理してしまう。
【０００６】  即ち、光合分波装置１０は、ゲインチルトを有する波長多重信号光が入力されると、光増幅部５１がそれぞれの波長の信号光をそのままの信号レベルの比率で増幅した後、その信号光に対して分岐・挿入手段５２が単に分岐・挿入するので、例えば分岐された信号光が長い波長の場合には、信号レベルがいっそう大きくなってしまって受光素子の素子破壊を招く一方、短い波長の信号光の場合には、信号レベルが小さいことからＳ／Ｎ比の劣化によって伝送品質の低下を招くおそれがあり、安定した波長多重信号光を供給することができない問題があった。
【０００７】  また、この問題を解決するため、伝送路の末端側で管理者が多重信号光を測定して分析し、それぞれの波長の信号光が一定となるよう、光送信端局装置側と連絡を取りつつ調整を行う場合もあるが、そのようにする場合、光受信端局装置２や端局装置６に対する送信を一時的に中断して行うので、それら端局装置２及び６側に迷惑がかかるばかりでなく、その調整作業にかなりの時間及び労力を要するという問題があった。
【０００８】  本発明の目的は、上記従来技術の問題点に鑑み、中継局の経年変化や伝送路の損失変化等に拘わることなく、波長多重信号光にゲインチルトが発生するのを確実に防止することができ、以て安定した波長多重信号光を得て、信頼性を高めることができる光合分波装置及び光波長多重伝送システムを提供することにある。
【課題を解決するための手段】
【０００９】  上記課題を解決するため、本発明の請求項１に係る発明は、波長多重された信号光を増幅する光増幅部と、該光増幅部によって増幅された波長多重信号光のうち、少なくとも波長の異なる二種類の信号光を分岐させる一方、残りの他の波長の異なる信号光に信号光を合波させて出力する分岐・挿入手段とを備えた光合分波装置において、前記分岐された二種類の信号光の信号レベルの差を求めと共に、該求めた差を吸収する方向に前記光増幅部を調整するレベル信号調整手段を備えたことを特徴とする。
【００１０】  本発明に係る光合分波装置によれば、波長多重信号光が入力されると、レベル信号調整手段が、分岐・挿入手段から分岐されたそれぞれの信号光の信号レベルの大きさの差を求めると共に、該求めた差を吸収する方向に光増幅部を調整するので、光増幅部から出力された波長多重信号光にゲインチルトが起こるのを防止することができる、信号レベルに差のない安定した波長多重信号光を良好に得ることができる。
【００１１】  請求項２に係る発明は、請求項１記載の光合分波装置において、前記レベル信号調整手段は、前記分岐された二種類の信号光の信号レベルの差を求める演算部と、該演算部によって求めた信号レベルの差に基づいて光増幅部の増幅度を調整する補正部とを備えていることを特徴とする。
【００１２】  本発明に係る光合分波装置によれば、レベル信号調整手段が演算部と補正部とを備えているので、光増幅部から出力される波長多重信号光に発生するゲインチルトを確実に吸収することができ、ゲインチルトの防止効果を良好に果たすことができる。
【００１３】  請求項３に係る発明は、請求項２記載の光合分波装置において、前記演算部は、前記分岐された二種類の信号光をそれぞれ更に分岐させて検出するモニタ部を有することを特徴とする。
本発明に係る光合分波装置によれば、演算部の前記モニタ部が分岐されたそれぞれの信号光を検出することで、それぞれの信号光の信号レベルを正確に検出することができる。
【００１４】  請求項４に係る発明は、請求項３記載の光合分波装置において、前記モニタ部は、前記分岐された二種類の信号光の分岐伝送路にそれぞれ設けられた光カプラと、該光カプラによって更に分岐されたそれぞれの信号光を光電変換する光電変換素子とからなることを特徴とする。
本発明に係る光合分波装置によれば、前記光カプラと前記光電変換素子を有し、分岐されたそれぞれの波長の信号光の信号レベルの大きさを的確に検出することができるので、演算部がそれぞれの信号レベルの差を正確に求めることができる。
【００１５】  請求項５に係る発明は、請求項２から４のいずれか記載の光合分波装置において、前記補正部は、前記光増幅部の励起光源に対する設定温度を、前記信号レベルの差に応じて変更させることを特徴とする。
本発明に係る光合分波装置によれば、補正部が光増幅部の励起光源に対する設定温度を、前記信号レベルの差に応じて変更させるので、光増幅部から出力される波長多重信号光における各信号光の信号レベルを確実に一定にすることができる。
【００１６】  請求項６に係る発明は、請求項１から５のいずれか記載の光合分波装置を備えていることを特徴とする。
本発明に係る光波長多重伝送システ厶によれば、光合分波装置が中継局の経年変化や伝送路の損失変化等に拘わることなく、波長多重信号光にゲインチルトが発生するのを確実に防止するので、安定した波長多重信号光を得ることができ、それだけ信頼性を高めることができる。
【発明を実施するための最良の形態】
【００１７】  以下、本発明の実施の形態を、図面に基づいて説明する。図１から図４は本発明の第１の実施の形態に係る光合分波装置を光波長多重伝送システ厶に適用した図であって、図１は光合分波装置の構成を示す説明図、図２は光合分波装置のレベル信号調整手段が分岐したそれぞれの信号光の信号レベルの差を求めたときの説明図、図３は光合分波装置のレベル信号調整手段が光増幅部を調整したことで光増幅部から出力された波長多重信号光を示す説明図、図４は光合分波装置のレベル信号調整手段のモニタ部が分岐された二つの波長の信号光の信号レベルを検出したときの説明図である。
この光波長多重伝送システムは、光送信端局装置１と光受信端局装置２との間に敷設された伝送路３の途中位置に中継器（増幅器）４及び光合分波装置１０が設けられ、光送信端局装置１からの波長多重信号光が、中継器４によって増幅された後、光合分波装置１０によって特定の複数の波長の信号光が分岐され、該分岐された信号光が端局装置６に受信される一方、残りの他の信号光に合波された信号光を光受信端局装置１が受信できるようになっている（図５参照）。【００１８】  そして、光合分波装置１０は、図１に示すように、光増幅部２０と、分岐・挿入手段３０とを備え、中継器４を経た波長多重信号光（λ１〜λ８）が入力されると、それを光増幅部２０が増幅した後、分岐・挿入手段３０が、特定の複数の波長の信号光の分岐及び挿入を行うようになっている。【００１９】  即ち、分岐・挿入手段３０は、本例ではＷＤＭフィルタ３１、３２と光カプラ３３、３４とを有し、ＷＤＭフィルタ３１、３２が波長の異なる二つの信号光λ１、λ８をドロップ系３５にそれぞれ分岐させる一方、残りの全ての種類の波長の信号光λ２〜λ７にアド系３６によって信号光が挿入されて合波が生成されるようになっている。従って、本例の分岐・挿入手段３０は、八種類の波長多重信号光λ１〜λ８のうち、波長の最も短い信号光λ１と最も長い信号光λ８との二種類を分岐させ、また残りの波長の信号光λ２〜λ７に対し、分岐された波長と同一波長の信号光λ１′、λ８′が挿入されることで合波を生成している。【００２０】  なお、本例では、分岐・挿入手段３０によって分岐される信号光の波長と、挿入される信号光の波長とを同一波長としているが、これに限られるものではない。図１において、符号１０ａは光合分波装置１０の入力コネクタ、１０ｂ〜１０ｄは同じく光合分波装置１０の出力側コネクタである。【００２１】  また、光合分波装置１０は、上記光増幅部２０及び分岐・挿入手段３０の他、分岐された二種類からなる各波長の信号光の信号レベルの差を求めと共に、該求めた差を吸収すべく、光増幅部２０の増幅度を調整するレベル信号調整手段４０を備えている。【００２２】  このレベル信号調整手段４０は、分岐された波長の信号光λ１、λ８の信号レベルの大小の差Δを求める演算部４１と、この演算部４１が求めたそれぞれの信号光の差Δに応じ、光増幅部２０の増幅度を調整させる補正部４２とを有してしている。【００２３】  演算部４１は、ドロップ系３５によって分岐された分岐伝送路３ａ、３ｂの途中位置に光カプラ４３、４４がそれぞれ設けられると共に、光カプラ４３、４４の分岐出力側に光電変換素子４５、４６が設けられている。そして、分岐された二つの信号光λ１、λ８が光カプラ４３、４４によって分岐伝送路３ａ、３ｂから更に分岐されると共に、該それぞれの信号光λ１、λ８が光電変換素子４５、４６によって電気信号に変換されると、図７に示すようなゲインチルトが発生していることから、演算部４１が図２に示すように、その変換された信号光λ１の電気信号と信号光λ８の電気信号との差Δを求めるようになっている。【００２４】  従って、波長多重信号光からの信号光λ１〜λ８が、図７に示すように右肩上がりのゲインチルトが発生しているとき、演算部４���は、図２に示すように、その波長λ１からなる信号光の信号レベルの大きさと波長λ８からなる信号光の信号レベルの大きさとの差Δを演算するようになっている。【００２５】  そのため、演算部４１は、上記差Δを求めるに際し、分岐されたそれぞれの信号光λ１、λ８の信号レベルの大きさを検出するために光カプラ４３、４４と光電変換素子４５、４６とからなるモニタ部を有し、これによって分岐された二種類の信号光を検出するようになっている。【００２６】  補正部４２は、温度制御回路から構成されており、演算部４１からの指令信号に基づき光増幅部２０に対する増幅度を調整するようになっており、その詳細は後述する。【００２７】  ところで、光増幅部２０は、図１に示すように、エルビウム添加ファイバ２１と、これに光カプラ２３を介して接続された励起光源２２と、この励起光源２２をフィードバック制御する光出力フィードバック回路２４と、エルビウム添加ファイバ２１の出力側の光カプラ２３より後段に光カプラ２５を介して設けられた光電変換素子２６とを有している。【００２８】  この光増幅部２０は、中継局４（図５参照）からの波長多重信号光λ１〜λ８が入力されてエルビウム添加ファイバ２１を通過するとき、励起光源２２からの光を光カプラ２３を介して合波されることで増幅された後、その増幅された波長多重信号光が光カプラ２５によって分岐されると共に、分岐された信号光が光電変換素子２６によって電気信号に変換されて光出力フィードバック回路２４に入力されると、該光出力フィードバック回路２４がその入力信号に基づいて励起光源２２を制御することで、波長多重信号光を全体的に一定の割合で増幅するようになっている。【００２９】  この場合、光出力フィードバック回路２４は、光電変換素子２６が波長帯域内における波長の選択性を有しておらず、エルビウム添加ファイバ２１より出力される波長多重信号の全体のトータルパワーを単に光電変換することから、励起光源２２に対して出力の信号光が波長帯域内で一定の信号レベルとなるように励起光源２２を制御するだけとなる。【００３０】  一般に、光増幅部２０の波長利得特性は、中継器４による利得（ゲイン）及び励起光源２２の波長によって決定される。つまり、ゲインが一定の場合、励起光源２２の波長を変化させたときの波長利得特性が、図７に示すように長波長側になると長波長側の波長利得が上がることにより、励起光源２２による波長信号信号光毎のレベルの傾き（ゲインチルト）が右肩上がりに変化し、また図示していないが、励起光源２２の波長が短波長側になると短波長側の波長利得が上がることにより励起光源２２による波長信号信号光毎のゲインチルトが上記と逆形態の左肩下がりに変化する。【００３１】  ところが、励起光源２２の出力光（励起光）の発振波長は、その発光素子（レーザーダイオード）の発振波長−温度特性により決定される。そして、光合分波装置１０における光増幅部２０の発光素子（レーザーダイオード）の場合、その発振周波数の波長にもよるが、通常では０．１（ｎｍ／℃）の温度特性をもっている。このため、発光素子の温度を変えることで、発振波長を変えることができる。【００３２】  そこで、この実施形態においては、演算部��１が分岐されたそれぞれの信号光λ１、λ８の差Δを求めることによって補正部４２がその差Δを調整するとき、励起光源２２の発光素子（レーザーダイオード）に対する設定温度を変え、これにより、発光素子の発振波長が変更され、光増幅部２０によって増幅される波長多重信号光の信号レベルのゲインチルトを吸収するように変更させることで、光増幅部２０から出力される波長多重信号光のゲインチルトを防止できるようになっている。【００３３】  因みに、励起光源２２の発光素子としてのレーザーダイオードの設定温度Ｔｓｅｔ（℃）と、波長利得制御信号電圧Ｖｔ（Ｖ）との関係は、レーザーダイオードの初期設定温度をＴｓｅｔ１（℃）と、補正部４２としての温度制御回路の温度／電圧変換係数をＡ（℃／Ｖ）とすると、以下の数１式にて表すことができる。【００３４】
【数１】
2005051189.tif 000003
【００３５】  従って、補正部４２は、演算部４１からの差Δの信号に基づいて光増幅部２０の励起光源２０の設定温度を調整することで、光増幅部２０から出力される波長多重信号光のゲインチルトの傾きを吸収し、結果的に図３に示すように、ゲインチルトが存在しない一様の信号レベルとなる波長多重信号光を光増幅部２０から送信できるようになっている。
そして、補正部４２による調整結果、光増幅部２０から分岐・挿入手段３０に送信されると、演算部４０のモニタ部がそれぞれの信号光λ１、λ８を検出することで、演算部４０がそれぞれの信号光λ１、λ８に図４に示すように差がないことを求めることもでき、レベル信号調整手段４０自体もフィードバック機能をなしている。図４は、レベル信号調整手段４０が機能しているときの、モニタ部によって検出された二つの信号光λ１、λ８の大きさを表している。
なお、図１〜図４において、図５〜図７と同一部分には同一符号を付している。【００３６】  本実施形態の光波長多重伝送システムは、上記のように構成されているので、いま、光送信端局装置１からの光波長多重信号光λ１〜λ８が、中継器４を通過して光合分波装置１０に入力され、光合分波装置１０によって特定の二種類の波長からなる信号光λ１、λ８が分岐される一方、それに対応する波長の信号光λ１′、λ８′が挿入されて合波が生成されることで、それぞれの信号光が所定方向に伝送される。【００３７】  即ち、光合分派装置１０は、入力されたそれぞれの光波長多重信号光λ１〜λ８を光増幅部２０によって増幅すると、その光波長多重信号光λ１〜λ８から、分岐・挿入手段３０のｗｄｍフィルタ３１、３２によって二種類の信号光λ１、λ８をドロップ系３５によって分岐して端局装置６方向に伝送する一方、残りの波長多重信号光λ２〜λ７に対しアド系３６によって二種類の波長の信号光λ１′、λ８′が挿入されて合波が生成されることで、その生成された合波の信号光（λ２〜λ７、λ１′、λ８′）を光受信端局装置２方向に伝送する。【００３８】  上記伝送時、光合分波装置１０は、分岐・挿入手段３０によって分岐された分岐伝送路３ａ、３ｂのそれぞれの信号光λ１、λ８が、レベル信号調整手段４０を通過すると、該レベル信号調整手段４０がそれぞれ各波長の信号光λ１、λ８の信号レベルの大きさの差Δを求めると共に、該求めた差Δを吸収するために光増幅部２０の増幅度を調整するので、光増幅部２０から出力された波長多重信号光のゲインチルトが解消され、図３に示すように、各波長の信号光λ１〜λ８の全ての信号レベルが一定となる結果、光増幅部２０からはゲインチルトの存在しない波長多重信号光が出力されることとなる。【００３９】  即ち、本実施形態の光波長多重伝送システムは、光合分波装置１０のレベル信号調整手段４０が、分岐・挿入手段３０から分岐されたそれぞれの分岐伝送路３ａ、３ｂの信号光λ１、λ８の信号レベルの大きさの差Δを求めると共に、該求めた差Δを吸収する方向に光増幅部２０を調整するので、光増幅部２０から出力された波長多重信号光にゲインチルトが起こるのを防止することができる。【００４０】  従って、ゲインチルトを防止できるので、分岐された波長の長い信号光λ８の信号レベルが大きくなることがなくなり、受光素子が破壊されるのを防止することができるばかりでなく、波長の短い信号光λ１の信号レベルが小さくなることがなくなり、Ｓ／Ｎ比の劣化をきたして伝送品質が低下するというのを防止することもでき、安定した波長多重信号光を供給することができる。そのため、レベル信号調整手段４０による自動化を実現できるので、従来のように伝送路の末端側で管理者が信号光を測定して調整を行う作業を行うことも不要になる。【００４１】  また、レベル信号調整手段４０は、分岐されたそれぞれ二つの波長の信号光の信号レベルの差Δを求める演算部４１と、演算部４１によって求めたそれぞれの信号レベルの差Δに基づき、光増幅部２０の増幅度を調整させる補正部４２とを有しているので、光増幅部２０から出力される波長多重信号光に発生するゲインチルトを確実に吸収することができ、ゲインチルトの防止効果を良好に果たすことができる。【００４２】  そして、補正部４２は、光増幅部２０に対してその差Δを調整するとき、励起光源２２の発光素子に対する設定温度を変え、これにより、発光素子の発振波長が変更されて光増幅部２０によって増幅される波長多重信号光の信号レベルのゲインチルトを吸収させるので、光増幅部２０から出力される波長多重信号光における各信号光の信号レベルを確実に一定にすることができる。【００４３】  更に、この光合分波装置１０によれば、演算部４１のモニタ部が分岐されたそれぞれの信号光λ１、λ８を検出することで、それら信号光λ１、λ８の信号レベルを正確に検出することができる。しかも、モニタ部が光カプラ４３、４４と光電変換素子４５、４６とを有することで、分岐されたそれぞれ信号光λ１、λ８の信号レベルの大きさを的確に検出することができるので、演算部４１がそれぞれの信号レベルの差を正確に求めることができる。【００４４】  そして、この波長多重伝送システムは、光合分波装置１０を備えることで、中継局４の経年変化や伝送路３の損失変化等に拘わることなく、波長多重信号光にゲインチルトが発生するのを防止するので、安定した波長多重信号光を得ることができ、それだけ信頼性を高めることができる。【００４５】  なお、図示実施の形態において、光合分波装置の分岐・挿入手段がＷＤＭフィルタと光カプラとを用いた例を示したが、これに限らず、例えばファイバグレーティングやアレイ導波路格子等の波長分波素子を用いてもよい。また、分岐される信号光として、互いに波長の異なる二つを用いた例を示したが、三つ或いはそれ以上の信号光の場合にも同様に適用することができ、更には、最も短い波長λ１と長い波長λ８とを分岐させる例を示したが、それ以外の波長が分岐される場合にも同様に適用することができる。
そして、波長多重信号光のゲインチルトが通常一般的に発生する右肩上がりのものに適用した例を示したが、その逆の左肩上がりにゲインチルトが発生する場合にも対処することができる。
【発明の効果】
【００４６】  以上説明したように、請求項１に係る本発明によれば、波長多重信号光が入力されると、レベル信号調整手段が、分岐・挿入手段から分岐されたそれぞれの信号光の信号レベルの大きさの差を求めると共に、該求めた差を吸収する方向に調整するように構成したので、光増幅部から出力された波長多重信号光にゲインチルトが起こるのを防止することができる結果、管理者の作業を要することなく、信号レベルに差のない安定した波長多重信号光を得ることができ、光合分波装置としての信頼性を高めることができる効果がある。
【００４７】  請求項２に係る本発明によれば、レベル信号調整手段が演算部と補正部とを備えているので、光増幅部から出力される波長多重信号光に発生するゲインチルトを確実に吸収することができ、ゲインチルトの防止効果を良好に果たすことができる効果がある。
【００４８】  請求項３に係る本発明によれば、演算部の前記モニタ部が分岐されたそれぞれの信号光を検出することで、それぞれの信号光の信号レベルを正確に検出することができる効果がある。
【００４９】  請求項４に係る本発明によれば、前記光カプラと前記光電変換素子を有し、分岐されたそれぞれの波長の信号光の信号レベルの大きさを的確に検出することができるので、演算部がそれぞれの信号レベルの差を正確に求めることができる効果がある。
【００５０】  請求項５に係る本発明によれば、補正部が光増幅部の励起光源に対する設定温度を、前記信号レベルの差に応じて変更させるので、光増幅部から出力される波長多重信号光における各信号光の信号レベルを確実に一定できる効果がある。
【００５１】  請求項６に係る本発明によれば、光合分波装置が中継局の経年変化や伝送路の損失変化等に拘わることなく、波長多重信号光にゲインチルトが発生するのを確実に防止するので、安定した波長多重信号光を得ることができ、それだけ信頼性を高めることができるという効果がある。
【図面の簡単な説明】
【００５２】
【図１】  本発明の第１の実施の形態に係る光合分波装置を光波長多重伝送システムに適用した図であって、光合分波装置の構成を示す説明図である。
【図２】  光合分波装置のレベル信号調整手段が分岐したそれぞれの信号光の信号レベルの差を求めたときの説明図である。
【図３】  光合分波装置のレベル信号調整手段が光増幅部を調整したことで、光増幅部から出力された波長多重信号光を示す説明図である。
【図４】  光合分波装置のレベル信号調整手段のモニタ部が分岐された二つの波長の信号光の信号レベルを検出したときの説明図である。
【図５】  一般的な波長多伝送システムを示す概略説明図である。
【図６】  従来の光合分波装置を示す説明図である。
【図７】  波長多重信号光の信号レベルにゲインチルトが発生している状態を示す説明図である。
【符号の説明】
【００５３】  ３ａ、３ｂ…分岐伝送路
１０…光合分波装置
２０…光増幅部
３０…分岐・挿入手段
４０…レベル信号調整手段
４１…演算部
４２…補正部
４３、４４…光カプラ
４５、４６…光電変換素子
【図１】
2005051189.tif 000004
【図２】
2005051189.tif 000005
【図３】
2005051189.tif 000006
【図４】
2005051189.tif 000007
【図５】
2005051189.tif 000008
【図６】
2005051189.tif 000009
【図７】
2005051189.tif 000010